(57)【特許請求の範囲】
【請求項１】
下端部が床面に載置される一対の支持脚と、
前記一対の支持脚を上端部において横架して連結する第１の横架材と、
上面に作業床面を有する足場板と、
前記一対の支持脚の夫々に設けられ、前記足場板を載架するための一対の載置部とを備え、
固定された壁面に立て掛けたとき、前記一対の載置部に載架した前記足場板が床面に対して水平になるように構成したことを特徴とする作業用足場。
【請求項２】
前記各支持脚の上部において前記第１の横架材と垂直方向に回動自在に軸着され、下端部が床面に載置される一対の補助脚と、
前記支持脚と前記補助脚とを所定の巾で固定する開き止めとを備え、
自立できるように構成したことを特徴とする請求項１に記載の作業用足場。
【請求項３】
前記各補助脚は、長さが変えられるように伸縮自在に形成されると共に前記各支持脚の上部において着脱可能に軸着され、前記開き止めは、前記支持脚と前記補助脚との間の巾を多段階に調節できると共に掛け外し自在に設けられてなることを特徴とする請求項２に記載の作業用足場。
【請求項４】
前記各支持脚は、一定の間隔で複数の係合孔が設けられてなり、前記各載置部は、挿脱用軸を有し、該挿脱用軸を前記係合孔に挿脱することで前記支持脚に挿脱自在に形成され、前記一対の載置部の挿入先となる前記係合孔が選択されることにより前記足場板の高さが変えられるように構成したことを特徴とする請求項１乃至請求項３のうち何れか１つに記載の作業用足場。
【請求項５】
前記一対の支持脚を下部において横架して連結する第２の横架材を備えることを特徴とする請求項１乃至請求項４のうち何れか１つに記載の作業用足場。
【請求項６】
前記各支持脚は、上端部に第１の嵌合部材を有し、該第１の嵌合部材を介して前記第１の横架材が嵌合可能に形成されると共に、下部に第２の嵌合部材を有し、該第２の嵌合部材を介して前記第２の横架材が嵌合可能に形成されてなり、前記の基本部材を組み合わせて複数台を連設できるように構成したことを特徴とする請求項５に記載の作業用足場。
【発明の詳細な説明】
【技術分野】
【０００１】
本発明は、足場板で作業者が各種作業を行うために用いられる作業用足場に関し、特に、枠組足場や二側足場が設置できないような狭小地での使用に好適な作業用足場に関する。
【背景技術】
【０００２】
従来の作業用足場には、複数の脚立を並設して踏み桟に足場板を架け渡した使用形態のものがある。
【０００３】
また、一側足場（建地にブラケットを取り付け、その上に足場板を敷き詰めた一列建地の足場）が、枠組足場（鋼管を門型に溶接された建枠にジャッキベース・交差筋違・鋼製布板等の基本部材を組合わせ、積上げて構成する足場）や二側足場（二列建地の足場）で足場を組み立てることができない狭小地で使用されている。
【０００４】
特許文献１には、全体が脚立のような形状を呈し、その両側の梯子脚と支持脚とを伸縮自在とすることで、狭小地での使用や足場板の高さの調整を可能とする作業用足場に関する技術が開示されている。
【特許文献１】特開平３−２８７２８９号公報
【発明の開示】
【発明が解決しようとする課題】
【０００５】
しかしながら、複数の脚立を並設して踏み桟に足場板を架け渡した作業用足場は、脚立の脚巾よりも狭い建地では使用できないと共に、脚立の上部が作業者の移動の妨げとなるという問題があった。これに対して、脚立の天板上に足場板を架け渡して作業を行うという使用形態も考えられるが、かかる行為は、足場板が不安定となるため危険であり、労働安全衛生法によって禁止されている。
【０００６】
一方、一側足場は、足場板の巾よりも広い建地では足場を組み立てることが可能であり、足場板間に突出部がないため作業者がスムーズに移動できるが、足場を組み立てるのに手間や時間がかかると共に、足場板の高さや巾が規格によって決められるため種々の作業現場に柔軟に適応できないという問題があった。
【０００７】
特許文献1に記載された作業用足場は、足場板が梯子脚と支持脚とによって支持される脚立構造であるため、安全に使用するには脚立の脚巾を足場板の巾より十分に広くして設置する必要があり、脚立の脚巾よりも狭い建地では使用できない問題は解消できていない。また、特許文献1に記載された作業用足場は、手摺を備えており（特許文献1の図１乃至図３を参照）、複数台を連設して足場板上を作業者が移動しながら作業するという使用形態が考慮されていない。
【０００８】
この発明が解決しようとする課題は、簡易な構造でありながら、脚立が設置できない狭小地においても安全に使用でき、手間をかけずに迅速に足場を設置でき、種々の作業現場に柔軟に適応できる作業用足場を提供することである。
【課題を解決するための手段】
【０００９】
この発明は、前記課題を解決するためになされたもので、請求項１に記載の作業用足場は、下端部が床面に載置される一対の支持脚と、前記一対の支持脚を上端部において横架して連結する第１の横架材と、上面に作業床面を有する足場板と、前記一対の支持脚の夫々に設けられ、前記足場板を載架するための一対の載置部とを備え、固定された壁面に立て掛けたとき、前記一対の載置部に載架した前記足場板が床面に対して水平になるように構成したことを特徴としている。
【００１０】
請求項１に記載の作業用足場においては、前記一対の支持脚の下端部が床面に載置され、前記第１の横架材が前記一対の支持脚を上端部において横架して連結するので、固定された壁面に前記第１の横架材が接するように立て掛けたとき、前記第１の横架材及び前記一対の支持脚によって支持されて安定化すると共に、前記一対の載置部に載架した前記足場板が床面に対して水平になる。したがって、請求項１に記載の作業用足場によれば、簡易な構造でありながら、脚立の脚巾よりも狭い建地においても安全に使用することができる。
【００１１】
請求項２に記載の作業用足場は、請求項１において、前記各支持脚の上部において前記第１の横架材と垂直方向に回動自在に軸着され、下端部が床面に載置される一対の補助脚と、前記支持脚と前記補助脚とを所定の巾で固定する開き止めとを備え、自立できるように構成したことを特徴としている。
【００１２】
請求項２に記載の作業用足場においては、請求項１による効果に加えて、前記一対の補助脚によっても支持されるのでより安定化すると共に、自立させることができるので固定された壁面に立て掛けない使用形態でも作業することができる。また、足場板が梯子脚と支持脚とによって直接的に支持される脚立構造とは異なり、足場板が前記一対の支持脚によって直接的に支持され、前記一対の補助脚からは間接的に支持される構造となっているので、前記支持脚と前記補助脚との間の巾を前記脚立構造の脚巾より狭くしても自立させることができる。
【００１３】
請求項３に記載の作業用足場は、請求項２において、前記各補助脚は、長さが変えられるように伸縮自在に形成されると共に前記各支持脚の上部において着脱可能に軸着され、前記開き止めは、前記支持脚と前記補助脚との間の巾を多段階に調節できると共に掛け外し自在に設けられてなることを特徴としている。
【００１４】
請求項３に記載の作業用足場においては、請求項２による効果に加えて、前記各補助脚は、長さが変えられるように伸縮自在、かつ、着脱可能であって、前記開き止めは、前記支持脚と前記補助脚との間の巾を多段階に調節でき、掛け外し自在であることから、前記支持脚と前記補助脚との間の巾や前記補助脚の長さを適切に調節でき、或いは、前記補助脚を取り外して全体を立て掛けて使用できる。これらは前述した簡易な構造で実現できるので組み立てや設置にあたって作業者の手間を煩わせることがない。したがって、請求項３に記載の作業用足場によれば、手間をかけずに迅速に足場を設置でき、種々の作業現場、特に、凹凸があったり、建地の巾のバリエーションに対して柔軟に適応できる。
【００１５】
請求項４に記載の作業用足場は、請求項１乃至請求項３のうち何れか１つにおいて、前記各支持脚は、一定の間隔で複数の係合孔が設けられてなり、前記各載置部は、挿脱用軸を有し、該挿脱用軸を前記係合孔に挿脱することで前記支持脚に挿脱自在に形成され、前記一対の載置部の挿入先となる前記係合孔が選択されることにより前記足場板の高さが変えられるように構成したことを特徴としている。
【００１６】
請求項４に記載の作業用足場においては、請求項１乃至請求項３のうち何れか１つによる効果に加えて、前記一対の載置部の挿入先となる前記係合孔を選択することで前記足場板の高さを変えることができる。したがって、請求項４に記載の作業用足場によれば、種々の作業現場、特に、高さのバリエーションに対して柔軟に適応できる。
【００１７】
請求項５に記載の作業用足場は、請求項１乃至請求項４のうち何れか１つにおいて、前記一対の支持脚を下部において横架して連結する第２の横架材を備えることを特徴としている。
【００１８】
請求項５に記載の作業用足場によれば、請求項１乃至請求項４のうち何れか１つによる効果に加えて、前記第２の横架材が梁の役割を果たすため、構造的な強度を向上させることができる。
【００１９】
請求項６に記載の作業用足場は、請求項５において、前記各支持脚は、上端部に第１の嵌合部材を有し、該第１の嵌合部材を介して前記第１の横架材が嵌合可能に形成されると共に、下部に第２の嵌合部材を有し、該第２の嵌合部材を介して前記第２の横架材が嵌合可能に形成されてなり、前記の基本部材を組み合わせて複数台を連設できるように構成したことを特徴としている。
【００２０】
請求項６に記載の作業用足場によれば、請求項５による効果に加えて、前記の基本部材を組み合わせて複数台を連設でき、複数の脚立を並設して踏み桟に足場板を架け渡した使用形態の作業用足場と比較して、足場板間に突出部がないため作業者が安全に使用できる。
【発明の効果】
【００２１】
本発明によれば、簡易な構造でありながら、脚立が設置できない狭小地においても安全に使用でき、手間をかけずに迅速に足場を設置でき、種々の作業現場に柔軟に適応できる作業用足場を提供することができる。
【発明を実施するための最良の形態】
【００２２】
以下、本発明を適用した具体的な実施の形態について、図面を参照しながら詳細に説明する。本発明は、例えば図１及び図２に示すような構成の作業用足場１に適用される。
【００２３】
先ず、図１及び図２を参照して、作業用足場１の構成の概略について説明する。この作業用足場１は、下端部が床面に載置される一対の支持脚２と、一対の支持脚２を上端部において横架して連結する横架材３と、上面に作業床面を有する足場板４と、一対の支持脚２の夫々に設けられ、足場板４を載架するための一対の載置部５と、各支持脚２の上部において横架材３と垂直方向に回動自在に軸着され、下端部が床面に載置される一対の補助脚６と、支持脚２と補助脚６とを所定の巾で固定する開き止め７と、一対の支持脚２を下部において横架して連結する横架材８とを主要部として備えている。
【００２４】
支持脚２には、スチール（鋼製）の管が用いられている。なお、ステンレスやアルミニウム等の金属製の管を用いてもよい。支持脚２の長さは、例えば２ｍ程度である。支持脚２の下端部は、安定して床面に載置されるように角度調整ができる滑り止め９が設けられている。支持脚２の上端部は、Ｔ字状になるように嵌合部材１０が設けられている。支持脚２の下部（例えば、下端部から３０ｃｍのところ）は、十字状になるように嵌合部材１１が設けられている。嵌合部材１０，１１には、横架材３，８が、嵌挿されて取り外せるようになっている。
【００２５】
各支持脚２には、一定の間隔で複数の係合孔１２が設けられてなり、各載置部５は、２つの挿脱用軸１３を有し、該挿脱用軸１３を係合孔１２に挿脱することで支持脚２に挿脱できるようになっている。したがって、作業者は、２つの係合孔１２を選択することで作業に好適な高さに足場板４を載架できる。
【００２６】
横架材３，８には、支持脚２と同様にスチール（鋼製）の管が用いられている。なお、ステンレスやアルミニウム等の金属製の管を用いてもよい。横架材３，８の長さは、例えば１．８ｍ程度である。横架材３，８は、支持脚２の嵌合部材１０，１１の両端に嵌入することで複数の作業用足場１を連設する連結部材の役割も担っている。
【００２７】
載置部５は、図２に示すように、トラス構造により構造的な強度が保たれている。載置部５には、２つの挿脱用軸１３が、支持脚２に設けられた係合孔１２の間隔と整合するように設けられている。載置部５の上部には、図２に示すように、足場板４の挿入口１４が設けられている。この挿入口１４により、足場板４を、横方向から挿入して載置部５に載置でき、前後方向にずれないようにできる。また、挿入口１４は、床面に対して例えば７５°の仰角で支持脚２を載置したとき、挿入された足場板４が床面に対して水平になるように構成されている。これにより、作業用足場１を固定された壁面に立て掛けたとき、足場板４が床面に対して水平になり、作業者の安全性を保つことができる。
【００２８】
各補助脚６は、長さが変えられるように伸縮自在に形成されると共に各支持脚２の上部（例えば、上端部から３０ｃｍのところ）において例えばシャフトを用いて着脱可能に軸着されている。
【００２９】
開き止め７は、図２に示すように、支持脚２と補助脚６との間の巾を例えば一定間隔で設けられた係合孔１５にシャフトを用いて軸着することで多段階に調節できると共に外すこともできる。なお、作業用足場１を壁面に立て掛けて使用する場合、補助脚６や開き止め７を支持脚２に束ねて固定する機能を有する部材を設けてもよい。
【００３０】
次に、作業用足場１の使用方法について説明する。先ず、一対の支持脚２を横架材３で連結して門型を形成する。このとき、構造的な安定性を更に求める場合には、横架材８を連結する。そして、一対の載置部５を一対の支持脚２に夫々取り付け、一対の載置部５に足場板４を載架する。載置部５の取り付け箇所は作業の内容に応じて適宜選択する。
【００３１】
作業現場の建地が脚立の脚巾よりも狭い場合には、作業用足場１を壁面に立て掛けて使用する。このとき、補助脚６や開き止め７は取り外すか、或いは、支持脚２に束ねて固定する。構造的な安定性を更に求める場合には、作業現場の建地の巾に収まるように補助脚６を開き止め７で固定し、作業用足場１を３方向から支持するように載置する。
【００３２】
作業現場の建地が脚立の脚巾よりも広い場合には、作業用足場１を壁面に立て掛けないで、すなわち、自立した状態で使用してもよい。作業用足場１を自立した状態で使用する場合、作業用足場１が倒れないように、開き止め７で支持脚２と補助脚６とを広い巾で固定する。
【００３３】
作業現場が広域な場合には、横架材３（及び横架材８）を支持脚２の嵌合部材１０（及び嵌合部材１１）の両端に嵌入し、載置部５や補助脚６等の基本部材を組み合わせて複数の作業用足場１を連設して使用してもよい。
【００３４】
作業者は、載置された作業用足場１の足場板４に乗るためには、梯子を別途設置する。梯子は、壁面に立て掛けて固定してもよいし、連設した作業用足場１のうち足場板４を載架しない作業用足場１を設け、その作業用足場１の横架材３に梯子を立て掛けて固定してもよい。また、梯子は、上端部に引っ掛けを有し、挿入口１４に引っ掛けて、立て掛けるようにしてもよい。なお、梯子は、市販されているものを用いてもよいし、予め、サイズ等が整合するものを作業用足場１に備えるようにしてもよい。作業者は、載置された作業用足場１の足場板４から降りる際にも前述の梯子を使用する。
【００３５】
最後に、支持脚２が床面に対して７５°の仰角で自立した状態の作業用足場１は、２００ｋｇの垂直加重と４０ｋｇの水平荷重に対する安全性確認実験によってその安全性が確認された。すなわち、厚生労働省仮設工業会の安全基準では７５ｋｇの垂直荷重，１５ｋｇの水平荷重に対して２．０〜３．０の安全率を求めているが、本発明に係る作業用足場１は、この条件を十分に充足するものであった。
【００３６】
なお、本発明は上述した実施の形態のみに限定されるものではなく、本発明の要旨を逸脱しない範囲において種々の変更が可能であることは勿論である。
【図面の簡単な説明】
【００３７】
【図１】本発明の一実施形態に係る作業用足場１の正面図である。
【図２】本発明の一実施形態に係る作業用足場１の右側面図である。
【符号の説明】
【００３８】
１    作業用足場
２    支持脚
３    横架材
４    足場板
５    載置部
６    補助脚
７    開き止め
８    横架材
９    滑り止め
１０  嵌合部材
１１  嵌合部材
１２  係合孔
１３  挿脱用軸
１４  挿入口
１５  係合孔
【要約】
【課題】簡易な構造でありながら、脚立が設置できない狭小地においても安全に使用でき、手間をかけずに迅速に足場を設置でき、種々の作業現場に柔軟に適応できる作業用足場を提供する。
【解決手段】下端部が床面に載置される一対の支持脚２と、一対の支持脚２を上端部において横架して連結する横架材３と、上面に作業床面を有する足場板４と、一対の支持脚２の夫々に設けられ、足場板４を載架するための一対の載置部５とを備え、固定された壁面に立て掛けたとき、一対の載置部５に載架した足場板４が床面に対して水平になるように構成する。
【選択図】図１【図１】
0004197728.tif 000002
【図２】
0004197728.tif 000003